(57)【要約】【課題】遮断器ケースの幅寸法を小さくすることができ、また、２極１素子の回路遮断器では電圧極と中性極を間違える誤結線が防止できる回路遮断器を提供する。【解決手段】回路遮断器１は、遮断器ケース２の前面２ａに設けられた操作ハンドル３の操作方向の一方側に電源側端子５，６の差し込み口５ａ，６ａ，７ａを設け、他方側の遮断器ケース２の垂直面２ｄであって操作ハンドル３の操作方向と一致する遮断器ケース２の中心線Ａ上に差し込み式の２つの負荷側端子８，９の電線挿入孔８ａ，９ａを設ける。２極１素子の回路遮断器１は、垂直面２ｄの前面側の電線挿入孔８ａの負荷側端子８を中性極とし、垂直面２ｄの背面側の電線挿入孔９ａの負荷側端子９を電圧極とする。【選択図】図１
2006032319.tif 000002
【特許請求の範囲】
【請求項１】
遮断器ケースの前面に設けられた操作ハンドルの操作方向の一方側に複数の電源側端子が設けられ、他方側に差し込み式の２つの負荷側端子が設けられる回路遮断器において、前記２つの負荷側端子の電線挿入孔を前記操作ハンドルの操作方向に略一列に配置したことを特徴とする回路遮断器。
【請求項２】
前記２つの負荷側端子の電線挿入孔は前記操作ハンドルを含む正面視中心線上に少なくとも一部がかかるように設けたことを特徴とする請求項１に記載の回路遮断器。
【請求項３】
負荷側端子が中性極と電圧極から成る１００Ｖ回路用の回路遮断器においては、前記２つの負荷側端子の電線挿入孔は前記遮断器ケースの前面側の負荷側端子を中性極とし、背面側の負荷側端子を電圧極としたことを特徴とする請求項１又は請求項２に記載の回路遮断器。
【請求項４】
前記操作ハンドルの操作方向の他方側に、前記遮断器ケースの前面に段部を陥没させて形成し、該段部の前面に前記負荷側端子の電線挿入孔を設けたことを特徴とする請求項１又は請求項２に記載の回路遮断器。
【発明の詳細な説明】
【技術分野】
【０００１】
本発明は、分電盤内に多数並設される分岐ブレーカとして好適な回路遮断器の差し込み式の負荷側端子に関する。
【背景技術】
【０００２】
分電盤に配設される分岐回路用の回路遮断器は遮断器ケースの前面に起倒式の操作ハンドルが設けられ、この操作ハンドルの操作方向の一方側に電源側端子が、他方側に負荷側端子が設けられている。一般的に電源側端子がねじ式の場合は遮断器ケースの幅方向に差し込み口が２つ並んで設けられ、電源側端子がプラグイン式の場合は分電盤の導電バーの形態により操作ハンドルの操作方向に差し込み口が２つ又は３つ並んで設けられている。また、負荷側端子は電源側端子の構造に関係なくねじ式であっても差し込み式であっても電線挿入孔が幅方向に２つ並んで設けられている（例えば、特許文献１、特許文献２参照。）。
【０００３】
【特許文献１】特開２００２−３２４４７５号公報（第１，２図）
【特許文献２】特開２００３−３３１７０７号公報（第３，５，６図）
【発明の開示】
【発明が解決しようとする課題】
【０００４】
近年、負荷機器の増加に伴って分電盤の分岐ブレーカ数も増加しており、分電盤に配設される際に分岐ブレーカは幅方向に並設されるので分電盤を小型化するためには分岐ブレーカの横幅を出来る限り狭くする必要がある。しかしながら、従来の分岐ブレーカに使用される回路遮断器は電源側端子がプラグイン式の場合、差し込み口が操作ハンドルの操作方向に並設されて幅寸法が小さくなっているが、負荷側端子は電線挿入孔が遮断器ケースの幅方向に並設されているので遮断器ケースの幅寸法を小さくするのはほぼ限界となっていた。また、１００Ｖ回路に用いられる回路遮断器は２極１素子のものが用いられ、電圧極の電路には過電流引き外し手段が設けられているが、負荷側の配線を行う際に電圧極の負荷側端子の電線挿入孔と中性極の負荷側端子の電線挿入孔が左右に隣り合って並んでいるので間違えて結線を誤る虞があった。
【課題を解決するための手段】
【０００５】
本発明は、請求項１に記載の発明によれば、遮断器ケースの前面に設けられた操作ハンドルの操作方向の一方側に複数の電源側端子が設けられ、他方側に差し込み式の２つの負荷側端子が設けられる回路遮断器において、２つの負荷側端子の電線挿入孔を操作ハンドルの操作方向に略一列に配置したことを特徴とする。
【０００６】
請求項２に記載の発明によれば、請求項１に記載の回路遮断器において、２つの負荷側端子の電線挿入孔は操作ハンドルを含む正面視中心線上に少なくとも一部がかかるように設けたことを特徴とする。
【０００７】
請求項３に記載の発明によれば、請求項１又は請求項２に記載の回路遮断器において、負荷側端子が中性極と電圧極から成る１００Ｖ回路用の回路遮断器においては、２つの負荷側端子は遮断器ケースの前面側の負荷側端子を中性極とし、背面側の負荷側端子を電圧極としたことを特徴とする。
【０００８】
請求項４に記載の発明によれば、請求項１又は請求項２に記載の回路遮断器において、操作ハンドルの操作方向の他方側に、遮断器ケースの前面に段部を陥没させて形成し、段部の前面に負荷側端子の電線挿入孔を設けたことを特徴とする。
【発明の効果】
【０００９】
請求項１に記載の回路遮断器によれば、遮断器ケースの前面に設けられた操作ハンドルの操作方向の一方側に複数の電源側端子が設けられ、他方側に差し込み式の２つの負荷側端子が設けられる回路遮断器において、２つの負荷側端子の電線挿入孔を操作ハンドルの操作方向に略一列に配置したことにより、遮断器ケースの幅寸法を小さくすることができ、また、２極１素子の回路遮断器では電圧極と中性極を間違える誤結線が防止できるという効果がある。
【００１０】
請求項２に記載の発明によれば、請求項１に記載の回路遮断器において、２つの負荷側端子の電線挿入孔は操作ハンドルを含む正面視中心線上に少なくとも一部がかかるように設けたことにより、遮断器ケースの幅寸法を小さくすることができるという効果がある。
【００１１】
請求項３に記載の発明によれば、請求項１又は請求項２に記載の回路遮断器において、負荷側端子が中性極と電圧極から成る１００Ｖ回路用の回路遮断器においては、２つの負荷側端子は遮断器ケースの前面側の負荷側端子を中性極とし、背面側の負荷側端子を電圧極としたことにより、負荷側配線に触れた際に電圧印加による感電事故を防止することができるという効果がある。
【００１２】
請求項４に記載の発明によれば、請求項１又は請求項２に記載の回路遮断器において、操作ハンドルの操作方向の他方側に、遮断器ケースの前面に段部を陥没させて形成し、段部の前面に負荷側端子の電線挿入孔を設けたことにより、回路遮断器の前面方向から電線挿入孔を確認でき、而も前面方向から電線の差し込みができるので電線の接続作業性を向上することができるという効果がある。
【発明を実施するための最良の形態】
【００１３】
回路遮断器は、遮断器ケースの前面に設けられた操作ハンドルの操作方向の一方側に電源側端子の差し込み口を設け、他方側の遮断器ケースの垂直面であって操作ハンドルの操作方向と一致する遮断器ケースの中心線上に差し込み式の２つの負荷側端子の電線挿入孔を設ける。２極１素子の回路遮断器は、垂直面の前面側の電線挿入孔の負荷側端子を中性極とし、垂直面の背面側の電線挿入孔の負荷側端子を電圧極とする。
【実施例１】
【００１４】
本発明に係る回路遮断器の実施例１を図１〜図３の添付図面に基づいて説明する。
【００１５】
図１は１００Ｖ回路用の回路遮断器の外観斜視図を示している。尚、図１において操作ハンドルは上側に設けられているが、通常、回路遮断器は操作ハンドルを有する面を前面にして使用されるため、以下、操作ハンドルを有する面を前面として説明する。
【００１６】
回路遮断器１は絶縁材料により形成された立方体状の幅薄の遮断器ケース２の前面２ａに電路を開閉操作するための操作ハンドル３が突出して設けられている。操作ハンドル３は遮断器ケース２の左右側面に軸支され、幅方向と垂直な方向に起倒可能になっている。遮断器ケース２の前面２ａと反対側の背面は取付面２ｂであり、端部の取付突起４に図示しない分電盤の係合手段が係合することによって取り付けられるようになっている。
【００１７】
遮断器ケース２は、操作ハンドル３の操作方向の一方側であって、遮断器ケース２の前面２ａと垂直な垂直面２ｃに、取付面２ｂと平行な３つの溝状の差し込み口５ａ，６ａ，７ａが間隔をおいて形成され、前面側の２つの差し込み口５ａ，６ａはプラグイン式の電源側端子５，６を構成して単相３線式分電盤の３本の導電バー（図示せず）のうち２本が電気的に接続されるようになっている。尚、電源側端子の差し込み口は分電盤の導電バーの形態に応じて２つであっても良い。
【００１８】
また、図２に示すように、操作ハンドル３の操作方向の他方側であって、遮断器ケース２の前面２ａと垂直な垂直面２ｄには、２つの電線挿入孔８ａ，９ａが操作ハンドル３の操作方向であって操作ハンドル３を含む正面視中心線Ａ上に略一列に配置され、差し込み式の負荷側端子８，９が設けられている。
【００１９】
図３は回路遮断器１の内部構造図を示し、２つの負荷側端子８，９は、電線挿入孔８ａ，９ａと、電線挿入孔８ａ，９ａの奥部に配設された端子金具８ｂ，９ｂと、電線１０を端子金具８ｂ，９ｂに圧接保持する圧接バネ８ｃ，９ｃと、圧接バネ８ｃ，９ｃによる電線１０の保持を解除する解除ボタン８ｄ，９ｄとで構成されている。電線１０の結線は電線挿入孔８ａ，９ａに差し込むだけでよく、圧接バネ８ｃ，９ｃの鎖錠片が電線１０に食い込んで鎖錠するとともに略Ｓ字状の圧接片が端子金具８ｂ，９ｂに電線１０を圧接して接続する。電線１０の接続を解除するには、遮断器ケース２の垂直面２ｄに露出した解除ボタン８ｄ，９ｄを電線挿入孔８ａ，９ａ側に押し操作することにより、圧接バネ８ｃ，９ｃの鎖錠片が押されて鎖錠が解除し、電線１０を引き抜けるようになっている。
【００２０】
また、負荷側端子８，９の端子金具８ｂ，９ｂは先端に固定接点１１ａを有する固定接触子１１，１１に接続され、固定接点１１ａに接離可能に可動接点１２ａを有する可動接触子１２，１２が対向して夫々配設されている。可動接触子１２はスプリング１３のバネ力により固定接触子１１から開離する方向に付勢されており、操作ハンドル３をオン操作すると、リンク機構１４を介して可動接触子１２，１２をスプリング１３のバネ力に抗して固定接触子１１，１１側に押圧し、可動接触子１２の可動接点１２ａが固定接触子１１の固定接点１１ａに接触して電路をオンし、操作ハンドル２をオフ操作すると、リンク機構１４が可動接触子１２，１２の押圧を解除し、スプリング１３のバネ力により可動接触子１２の可動接点１２ａが固定接触子１１の固定接点１１ａから離反して電路をオフするようになっている。
【００２１】
可動接触子１１は可撓電線１５を介して電源側端子５，６の受刃５ｂ，６ｂに接続されている。電源側端子５，６は差し込み口５ａ，６ａと、導電バーを挟持する略コ字状の受刃５ｂ，６ｂとで構成され、受刃５ｂ，６ｂの先端口は導電バーを挟持する部分が狭くなり、そこから外側方向に拡がって導電バーを誘う形状に形成されている。
【００２２】
尚、２つの負荷側端子８，９は、遮断器ケース２の前面側の負荷側端子８を中性極とし、背面側の負荷側端子９を電圧極とするため、背面側の負荷側端子９に接続される電路には過電流引き外し手段としてバイメタル１６と電磁引き外し装置１７が設けられている。過電流引き外し手段は可動接触子１２と電源側端子６とを接続する可撓電線１５に介在し、バイメタル１６と電磁引き外し装置１７は導電板１８により接続された上、バイメタル１６の中間部と導電板１８の端部に可撓電線１５が接続されて設けられている。また、２００Ｖ回路用の回路遮断器の場合は両方の負荷側端子が電圧極となるので各極の電路に過電流引き外し手段が設けられる。
【００２３】
バイメタル１６は、電路に定格電流を越える過電流が流れた際に過電流の大きさに応じて時延をもって湾曲し、バイメタル１６の先端で引き外し部材１９を押圧回動させてリンク機構１４を作動させる。また、電磁引き外し装置１７は電路に短絡電流などの大電流が流れた際に固定鉄片１７ａに発生した磁界により可動鉄片１７ｂを吸着し、可動鉄片１７ｂの先端が引き外し部材を押圧回動させてリンク機構１４を作動させる。そして、リンク機構１４の作動により可動接触子１２，１２の押圧を解除し、スプリング１３のバネ力によって可動接触子１２が固定接触子１１から離反して電路を遮断するようになっている。
【００２４】
このように中性極の負荷側端子８を遮断器ケース２の前面側に配置したことで、負荷側端子８に電線結線した場合に体が触れる可能性の高い前面側の電線は中性極となるので感電事故を防止することができ、また、遮断器ケース２の前後位置で負荷側端子の極性が異なるので電圧極と中性極を間違える誤結線が防止できる。
【００２５】
尚、本実施例において、負荷側端子８，９の電線挿入孔８ａ，９ａは操作ハンドル３を含む正面視中心線Ａに電線挿入孔８ａ，９ａの中心が通るように設けられているが、図４に示すように負荷側端子８，９の電線挿入孔８ａ，９ａは操作ハンドル３を含む正面視中心線Ａ上に電線挿入孔８ａ，９ａの少なくとも一部がかかるように設けられていれば良い。
【実施例２】
【００２６】
本発明に係る回路遮断器の実施例２を図５及び図６の添付図面に基づいて説明する。尚、実施例１と同一部分は同一符号を付して説明を省略する。
【００２７】
本実施例では遮断器ケース２の前面２ａであって負荷側端子８，９が配置された操作ハンドル３の操作方向の他方側に、段部２ｆが陥没して形成され、この段部２ｆの前面２ｇに２つの負荷側端子８，９の電線挿入孔８ａ，９ａが操作ハンドル３を含む正面視中心線Ａ上に略一列に間隔をおいて配置している点が実施例１と異なっている。
【００２８】
これにより、負荷側配線の結線作業スペースが広くなり、また、電線挿入孔８ａ，９ａを見ながら回路遮断器１に対して前面方向から差し込みできるので、電線の接続作業性を向上させることができる。また、負荷側端子８，９に接続された電線は段部２ｆの空間を利用して引き回されるので分電盤の前面カバーとの干渉がなく、分電盤の奥行き寸法の大型化が防止できる。
【図面の簡単な説明】
【００２９】
【図１】本発明の実施例１に係る回路遮断器の斜視図である。
【図２】本発明の実施例１に係る回路遮断器の負荷側端子を配した垂直面を示す説明図である。
【図３】本発明の実施例１に係る回路遮断器の内部構成を示す説明図である。
【図４】本発明の回路遮断器の変形実施例である。
【図５】本発明の実施例２に係る回路遮断器の斜視図である。
【図６】本発明の実施例２に係る回路遮断器を前面から見た説明図である。
【符号の説明】
【００３０】
１    回路遮断器
２    遮断器ケース
３    操作ハンドル
５，６    電源側端子
８，９    負荷側端子
８ａ，９ａ    電線挿入孔
【図１】
2006032319.tif 000003
【図２】
2006032319.tif 000004
【図３】
2006032319.tif 000005
【図４】
2006032319.tif 000006
【図５】
2006032319.tif 000007
【図６】
2006032319.tif 000008